(57)【特許請求の範囲】
【請求項１】
分散アンテナシステムにおける端末のデータ送受信方法であって、
基地局からセル内のアンテナノードに対する情報を受信するステップ；
前記基地局からアンテナノード別に決定されるチャネル測定用信号を受信するステップ；
前記チャネル測定用信号を測定して選好するアンテナノードを決定するステップ；
前記決定したアンテナノードに対するフィードバック情報を前記基地局に送信するステップ；
前記フィードバック情報に基づいて決定されるアンテナ割当情報を受信するステップ；及び、
前記アンテナ割当情報により指示されるアンテナを介して前記基地局からデータを受信するステップ；を含み、
前記アンテナノードは、少なくとも一つのアンテナを含み、
前記アンテナノードが複数のアンテナを含む場合、前記複数のアンテナのうち一部のアンテナで同じチャネル測定用信号を送信する、方法。
【請求項２】
前記アンテナノードが複数のアンテナを含む場合、前記複数のアンテナは、同じチャネル測定用信号を送信する、請求項１に記載の方法。
【請求項３】
前記アンテナノードに対する情報は、アンテナノードの総数、各アンテナノードのアンテナ個数、及びインデックスマッピング情報のうち少なくとも一つを含み、前記インデックスマッピング情報は、各アンテナノードにどんなアンテナが含まれるかを示す、請求項１に記載の方法。
【請求項４】
前記アンテナノードに対する情報は、前記基地局によりブロードキャストされる、請求項３に記載の方法。
【請求項５】
前記フィードバック情報は、前記基地局のダウンリンク送信を実行する全ての送信アンテナノードのうち前記端末が要求する送信アンテナノードのインデックス、前記端末が選択したアンテナノードの受信強度、前記端末が要求する送信アンテナノードの個数、選択基準を満たす送信アンテナノードの個数、及び前記選択基準を満たす送信アンテナノードのインデックスのうち少なくとも一つを含む、請求項１に記載の方法。
【請求項６】
前記選択基準は、前記アンテナノードから送信されたダウンリンク信号の受信強度が閾値を超えるか否かにより決定される、請求項５に記載の方法。
【請求項７】
前記フィードバック情報は、ダウンリンクの全ての送信アンテナノード別受信強度をさらに含む、請求項５に記載の方法。
【請求項８】
前記フィードバック情報は、選択基準を満たさないアンテナまたはアンテナノードに対する情報を含み、前記選択基準を満たさないアンテナまたはアンテナノードは、送信アンテナノードから送信されたダウンリンク信号の受信強度が閾値以下であることが示される、請求項１に記載の方法。
【請求項９】
前記アンテナ割当情報は、前記端末に割り当てられるアンテナのインデックス及びアンテナの個数のうち少なくとも一つを含む、請求項１に記載の方法。
【請求項１０】
前記アンテナ割当情報は、前記端末に割り当てられるアンテナノードの個別アンテナに適用されるチャネル測定用信号に対する情報をさらに含む、請求項１に記載の方法。
【請求項１１】
前記アンテナ割当情報は、前記端末に割り当てられるアンテナノードのインデックス及び前記端末に割り当てられるアンテナノードに含まれるアンテナの個数を含む、請求項１に記載の方法。
【請求項１２】
前記アンテナ割当情報は、アンテナノードの個数、アンテナノードのインデックス、アンテナノード単位のチャネル測定用信号のパターンインデックス、各アンテナノードのアンテナ個数、アンテナインデックス、アンテナ単位のチャネル測定用信号のパターンインデックス、アンテナノードインデックスとアンテナインデックスとの間のマッピング情報、及びアンテナノード単位のチャネル測定用信号のパターンインデックスとアンテナ単位のチャネル測定用信号のパターンインデックスとの間のマッピング情報のうち少なくとも一つを含む、請求項１に記載の方法。
【請求項１３】
前記アンテナ割当情報は、前記端末にユニキャストされる、請求項１に記載の方法。
【請求項１４】
無線信号を送受信するＲＦ部；及び、
前記ＲＦ部に連結されるプロセッサ；を含み、
前記プロセッサは、
基地局からセル内のアンテナノードに対する情報を受信し、前記基地局からアンテナノード別に決定されるチャネル測定用信号を受信し、前記チャネル測定用信号を測定して選好するアンテナノードを決定し、前記決定したアンテナノードに対するフィードバック情報を前記基地局に送信し、前記フィードバック情報に基づいて決定されるアンテナ割当情報を受信し、前記アンテナ割当情報により指示されるアンテナを介して前記基地局からデータを受信し、前記アンテナノードは、少なくとも一つのアンテナを含み、
前記アンテナノードが複数のアンテナを含む場合、前記複数のアンテナの一部は、同じチャネル測定用信号を送信する、端末。
【請求項１５】
前記アンテナノードが複数のアンテナを含む場合、前記複数のアンテナの全体は、同じチャネル測定用信号を送信する、請求項１４に記載の端末。
【発明の詳細な説明】
【技術分野】
【０００１】
本発明は、無線通信に関し、より詳しくは、分散アンテナシステムにおいて端末により実行されるデータ送信方法及びその方法を用いる端末に関する。
【背景技術】
【０００２】
分散アンテナシステム（ｄｉｓｔｒｉｂｕｔｅｄ  ａｎｔｅｎｎａ  ｓｙｓｔｅｍ；ＤＡＳ）は、アンテナがセル（ｃｅｌｌ）内の多様な位置に分散されて位置し、このようなアンテナを単一基地局が管理するシステムを意味する。これに対し、従来集中アンテナシステム（Ｃｅｎｔｒａｌｉｚｅｄ  ａｎｔｅｎｎａ  ｓｙｓｔｅｍ；ＣＡＳ）は、基地局のアンテナがセル中央に集中されている。
【０００３】
分散アンテナシステムは、フェムトセル／ピコセル（ｆｅｍｔｏ  ｃｅｌｌ／ｐｉｃｏ  ｃｅｌｌ）、中継局、アドホック（ａｄ−ｈｏｃ）システムと区別される。分散アンテナシステムは、個別アンテナがそのアンテナの領域を自体的に管轄するものではなく、中央の基地局で全てのアンテナ領域を管轄するという点で、個別アンテナが別個のネットワークを構成するフェムトセル／ピコセルと異なる。分散アンテナシステムは、各アンテナが有線に連結されることができるという点で、中継局またはアドホックシステム（ａｄ−ｈｏｃ  ｓｙｓｔｅｍ）とも区別される。また、分散アンテナシステムにおける各アンテナは、基地局の命令によって互いに異なる信号を送ることができるという点で、単純なリピータ（ｒｅｐｅａｔｅｒ）とも区別される。
【０００４】
初期の分散アンテナシステムの用途は、陰影地域をカバーするためにセル内にアンテナをさらに設置して信号を繰り返して（ｒｅｐｅｔｉｔｉｏｎ）送信することであった。即ち、初期分散アンテナシステムは、カバレッジ（ｃｏｖｅｒａｇｅ）確保が主な目的であった。然しながら、巨視的にみる時、分散アンテナシステムは、アンテナが同時に複数のデータストリーム（ｄａｔａ  ｓｔｒｅａｍ）を送信したり受信し、一名或いは多数のユーザをサポートすることができるという点で、一種の多重入／出力（ｍｕｌｔｉｐｌｅ  ｉｎｐｕｔ  ｍｕｌｔｉｐｌｅ  ｏｕｔｐｕｔ；ＭＩＭＯ）システムとみることができる。ＭＩＭＯシステムは、高いスペクトラム効率（ｓｐｅｃｔｒａｌ  ｅｆｆｉｃｉｅｎｃｙ）のため次世代通信の要求事項を満たすことができるシステムであると認識されている。ＭＩＭＯシステムの観点で、分散アンテナシステムは、集中アンテナシステムより長所が多い。例えば、ユーザとアンテナとの間の距離が減ることによって電力効率が高く、低いアンテナ間の相関度及び干渉のためチャネル容量が高く、セル内のユーザの位置と関係なしに相対的に均一な品質の通信が確保される等の長所がある。
【０００５】
即ち、前述した長所を有する分散アンテナシステムは、現在と未来の通信規格で要求する高いデータ容量を確保するためにＭＩＭＯ送信を実行することが必要である。例えば、同じ周波数領域で単一端末（ｕｓｅｒ  ｅｑｕｉｐｍｅｎｔ；ＵＥ）にランク（ｒａｎｋ）２以上の送信をすることが必要である（これを単一ユーザＭＩＭＯ（ｓｉｎｇｌｅ  ｕｓｅｒ  ＭＩＭＯ；ＳＵ−ＭＩＭＯ）送信という）。または、複数の端末を同時にサポートする多重ユーザＭＩＭＯ（ｍｕｌｔｉ  ｕｓｅｒ  ＭＩＭＯ；ＭＵ−ＭＩＭＯ）送信が必要である。このような必要性は、ダウンリンク（ｄｏｗｎｌｉｎｋ）だけでなく、アップリンク（ｕｐｌｉｎｋ）でも要求されることができる。
【０００６】
前述したＳＵ−ＭＩＭＯ及びＭＵ−ＭＩＭＯ通信は、標準化団体であるＩＥＥＥ８０２と３ＧＰＰ  ＬＴＥで必須に考慮しており、実際にＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ／ｍ、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）リリース（Ｒｅｌｅａｓｅ）８／９などの標準で扱っている。然しながら、現在の通信規格は、集中アンテナシステムを前提にデザインされているため、ＭＩＭＯ技術のような改善された（ａｄｖａｎｃｅｄ）技術が適用された分散アンテナシステムにそのまま適用することは難しい現実である。従って、分散アンテナシステムをサポートする通信規格が必要であり、このような通信規格に提供されることができる端末のデータ送信方法及び前記方法によって動作する端末が必要である。
【発明の概要】
【発明が解決しようとする課題】
【０００７】
分散アンテナシステムにおける端末のデータ送信方法及びその方法を用いる端末を提供することを目的にする。
【課題を解決するための手段】
【０００８】
本発明の一側面による分散アンテナシステム（Ｄｉｓｔｒｉｂｕｔｅｄ  Ａｎｔｅｎｎａ  Ｓｙｓｔｅｍ）における端末のデータ送受信方法は、基地局からセル内のアンテナノードに対する情報を受信するステップ；前記基地局からアンテナノード別に決定されるチャネル測定用信号を受信するステップ；前記チャネル測定用信号を測定して選好するアンテナノードを決定するステップ；前記決定したアンテナノードに対するフィードバック情報を前記基地局に送信するステップ；前記フィードバック情報に基づいて決定されるアンテナ割当情報を受信するステップ；及び、前記アンテナ割当情報により指示されるアンテナを介して前記基地局からデータを受信するステップ；を含み、前記アンテナノードは、少なくとも一つのアンテナを含むことを特徴とする。
【０００９】
前記アンテナノードが複数のアンテナを含む場合、前記複数のアンテナは、同じチャネル測定用信号を送信する。
【００１０】
前記アンテナノードが複数のアンテナを含む場合、前記複数のアンテナのうち一部のアンテナで同じチャネル測定用信号を送信する。
【００１１】
前記アンテナノードに対する情報は、前記セル内の全体アンテナノードの個数、各アンテナノードのアンテナ個数、及びインデックスマッピング情報のうち少なくとも一つを含み、前記インデックスマッピング情報は、各アンテナノードにどんなアンテナが含まれるかを示す情報である。前記アンテナノードに対する情報は、前記基地局によりブロードキャストされる。
【００１２】
前記フィードバック情報は、前記基地局のダウンリンク送信を実行する全ての送信アンテナノードのうち前記端末が要求する送信アンテナノードのインデックス、前記端末が選択したアンテナノードの受信強度、前記端末が要求する送信アンテナノードの個数、選択基準を満たす送信アンテナノードの個数、及び前記選択基準を満たす送信アンテナノードのインデックスのうち少なくとも一つを含む。
【００１３】
前記選択基準は、ダウンリンクの送信アンテナノードで送信した信号の受信強度が閾値を超えるか否かにより決定される。
【００１４】
前記フィードバック情報は、ダウンリンクの全ての送信アンテナノード別受信強度をさらに含む。
【００１５】
前記フィードバック情報は、選択基準を満たさないアンテナまたはアンテナノードに対する情報を含み、前記選択基準を満たさないアンテナまたはアンテナノードは、ダウンリンクの送信アンテナノードで送信した信号の受信強度が閾値以下の受信強度を示すアンテナまたはアンテナノードである。
【００１６】
前記アンテナ割当情報は、前記端末に割り当てられるアンテナのインデックス及びアンテナの個数のうち少なくとも一つを含む。
【００１７】
前記アンテナ割当情報は、前記端末に割り当てられるアンテナノードの個別アンテナに適用されるチャネル測定用信号に対する情報をさらに含む。
【００１８】
前記アンテナ割当情報は、前記端末に割り当てられるアンテナノードのインデックス及び前記端末に割り当てられるアンテナノードに含まれるアンテナの個数を含む。
【００１９】
前記アンテナ割当情報は、アンテナノードの個数、アンテナノードのインデックス、アンテナノード単位のチャネル測定用信号のパターンインデックス、各アンテナノードのアンテナ個数、アンテナインデックス、アンテナ単位のチャネル測定用信号のパターンインデックス、アンテナノードインデックスとアンテナインデックスとの間のマッピング情報、及びアンテナノード単位のチャネル測定用信号のパターンインデックスとアンテナ単位のチャネル測定用信号のパターンインデックスとの間のマッピング情報のうち少なくとも一つを含む。
【００２０】
前記アンテナ割当情報は、前記端末にユニキャストされる。
【００２１】
本発明の他の側面による端末は、無線信号を送受信するＲＦ部；及び、前記ＲＦ部に連結されるプロセッサ；を含み、前記プロセッサは、基地局からセル内のアンテナノードに対する情報を受信し、前記基地局からアンテナノード別に決定されるチャネル測定用信号を受信し、前記チャネル測定用信号を測定して選好するアンテナノードを決定し、前記決定したアンテナノードに対するフィードバック情報を前記基地局に送信し、前記フィードバック情報に基づいて決定されるアンテナ割当情報を受信し、及び前記アンテナ割当情報により指示されるアンテナを介して前記基地局からデータを受信し、前記アンテナノードは、少なくとも一つのアンテナを含むことを特徴とする。
本明細書は、例えば、以下の項目も提供する。
（項目１）
分散アンテナシステム（Ｄｉｓｔｒｉｂｕｔｅｄ  Ａｎｔｅｎｎａ  Ｓｙｓｔｅｍ）における端末のデータ送受信方法において、
基地局からセル内のアンテナノードに対する情報を受信するステップ；
前記基地局からアンテナノード別に決定されるチャネル測定用信号を受信するステップ；
前記チャネル測定用信号を測定して選好するアンテナノードを決定するステップ；
前記決定したアンテナノードに対するフィードバック情報を前記基地局に送信するステップ；
前記フィードバック情報に基づいて決定されるアンテナ割当情報を受信するステップ；及び、
前記アンテナ割当情報により指示されるアンテナを介して前記基地局からデータを受信するステップ；を含み、
前記アンテナノードは、少なくとも一つのアンテナを含むことを特徴とする方法。
（項目２）
前記アンテナノードが複数のアンテナを含む場合、前記複数のアンテナは、同じチャネル測定用信号を送信することを特徴とする項目１に記載の方法。
（項目３）
前記アンテナノードが複数のアンテナを含む場合、前記複数のアンテナのうち一部のアンテナで同じチャネル測定用信号を送信することを特徴とする項目１に記載の方法。
（項目４）
前記アンテナノードに対する情報は、前記セル内の全体アンテナノードの個数、各アンテナノードのアンテナ個数、及びインデックスマッピング情報のうち少なくとも一つを含み、前記インデックスマッピング情報は、各アンテナノードにどんなアンテナが含まれるかを示す情報であることを特徴とする項目１に記載の方法。
（項目５）
前記アンテナノードに対する情報は、前記基地局によりブロードキャストされることを特徴とする項目４に記載の方法。
（項目６）
前記フィードバック情報は、前記基地局のダウンリンク送信を実行する全ての送信アンテナノードのうち前記端末が要求する送信アンテナノードのインデックス、前記端末が選択したアンテナノードの受信強度、前記端末が要求する送信アンテナノードの個数、選択基準を満たす送信アンテナノードの個数、及び前記選択基準を満たす送信アンテナノードのインデックスのうち少なくとも一つを含むことを特徴とする項目１に記載の方法。
（項目７）
前記選択基準は、ダウンリンクの送信アンテナノードで送信した信号の受信強度が閾値を超えるか否かにより決定されることを特徴とする項目６に記載の方法。
（項目８）
前記フィードバック情報は、ダウンリンクの全ての送信アンテナノード別受信強度をさらに含むことを特徴とする項目６に記載の方法。
（項目９）
前記フィードバック情報は、選択基準を満たさないアンテナまたはアンテナノードに対する情報を含み、前記選択基準を満たさないアンテナまたはアンテナノードは、ダウンリンクの送信アンテナノードで送信した信号の受信強度が閾値以下の受信強度を示すアンテナまたはアンテナノードであることを特徴とする請求項１に記載の方法。
（項目１０）
前記アンテナ割当情報は、前記端末に割り当てられるアンテナのインデックス及びアンテナの個数のうち少なくとも一つを含むことを特徴とする項目１に記載の方法。
（項目１１）
前記アンテナ割当情報は、前記端末に割り当てられるアンテナノードの個別アンテナに適用されるチャネル測定用信号に対する情報をさらに含むことを特徴とする項目１に記載の方法。
（項目１２）
前記アンテナ割当情報は、前記端末に割り当てられるアンテナノードのインデックス及び前記端末に割り当てられるアンテナノードに含まれるアンテナの個数を含むことを特徴とする項目１に記載の方法。
（項目１３）
前記アンテナ割当情報は、アンテナノードの個数、アンテナノードのインデックス、アンテナノード単位のチャネル測定用信号のパターンインデックス、各アンテナノードのアンテナ個数、アンテナインデックス、アンテナ単位のチャネル測定用信号のパターンインデックス、アンテナノードインデックスとアンテナインデックスとの間のマッピング情報、及びアンテナノード単位のチャネル測定用信号のパターンインデックスとアンテナ単位のチャネル測定用信号のパターンインデックスとの間のマッピング情報のうち少なくとも一つを含むことを特徴とする項目１に記載の方法。
（項目１４）
前記アンテナ割当情報は、前記端末にユニキャストされることを特徴とする項目１に記載の方法。
（項目１５）
無線信号を送受信するＲＦ部；及び、
前記ＲＦ部に連結されるプロセッサ；を含み、
前記プロセッサは、
基地局からセル内のアンテナノードに対する情報を受信し、前記基地局からアンテナノード別に決定されるチャネル測定用信号を受信し、前記チャネル測定用信号を測定して選好するアンテナノードを決定し、前記決定したアンテナノードに対するフィードバック情報を前記基地局に送信し、前記フィードバック情報に基づいて決定されるアンテナ割当情報を受信し、及び前記アンテナ割当情報により指示されるアンテナを介して前記基地局からデータを受信し、前記アンテナノードは、少なくとも一つのアンテナを含むことを特徴とする端末。
（項目１６）
前記アンテナノードが複数のアンテナを含む場合、前記複数のアンテナの全体または一部は、同じチャネル測定用信号を送信することを特徴とする項目１５に記載の端末。
【発明の効果】
【００２２】
本発明によると、基地局と端末は、アンテナ単位でなく、複数のアンテナを含むことができるアンテナノード単位に送受信アンテナを割り当ててデータ送受信を実行する。本発明は、分散アンテナシステムで適用されてデータ送受信の効率を上げることができる。
【図面の簡単な説明】
【００２３】
【図１】無線通信システムを示すブロック図である。
【図２】分散アンテナシステムを例示する。
【図３】分散アンテナシステム構成の一例を示す。
【図４】ステップ２に対する基地局と端末との間のシグナリング過程を示す。
【図５】特定アンテナノードで個別アンテナに使われることができるミッドアンブルの例を示す。
【図６】特定アンテナノードで個別アンテナに使われることができるミッドアンブルの例を示す。
【図７】特定アンテナノードで個別アンテナに使われることができるミッドアンブルの例を示す。
【図８】特定アンテナノードで個別アンテナに使われることができるミッドアンブルの例を示す。
【図９】前述したステップ１乃至ステップ４による基地局と端末との間のシグナリング過程の一例を示す。
【図１０】基地局及び端末を示すブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。
【００２５】
図１は、無線通信システムを示すブロック図である。
【００２６】
図１を参照すると、無線通信システム１０は、少なくとも一つの基地局（ｂａｓｅ  ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（ｕｓｅｒ  ｅｑｕｉｐｍｅｎｔ；ＵＥ）１２は、固定されたり移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００２７】
以下、ダウンリンク（ｄｏｗｎｌｉｎｋ；ＤＬ）は、基地局から端末への通信リンクを意味し、アップリンク（ｕｐｌｉｎｋ；ＵＬ）は、端末から基地局への通信リンクを意味する。ダウンリンクで、送信機は基地局の一部分であり、受信機は端末の一部分である。アップリンクで、送信機は端末の一部分であり、受信機は基地局の一部分である。
【００２８】
無線通信システムは、多重アンテナをサポートすることができる。即ち、送信機は複数の送信アンテナ（ｔｒａｎｓｍｉｔ  ａｎｔｅｎｎａ）を使用し、受信機は複数の受信アンテナ（ｒｅｃｅｉｖｅ  ａｎｔｅｎｎａ）を使用することができる。送信アンテナは、一つの信号またはストリーム（ｓｔｒｅａｍ）の送信に使われる物理的または論理的アンテナを意味し、受信アンテナは、一つの信号またはストリームの受信に使われる物理的または論理的アンテナを意味する。送信機及び受信機が複数のアンテナを使用すると、無線通信システムは、ＭＩＭＯ（ｍｕｌｔｉｐｌｅ  ｉｎｐｕｔ  ｍｕｌｔｉｐｌｅ  ｏｕｔｐｕｔ）システムと呼ばれることもある。
【００２９】
ＭＩＭＯシステムには多様な送信技法が使われることができる。送信技法は、基地局が端末にダウンリンクデータを送信する技法を意味する。ＭＩＭＯ送信技法には、送信ダイバーシティ（ｔｒａｎｓｍｉｔ  ｄｉｖｅｒｓｉｔｙ）、空間多重化（ｓｐａｔｉａｌ  ｍｕｌｔｉｐｌｅｘｉｎｇ）、及びビーム形成（ｂｅａｍｆｏｒｍｉｎｇ）などがある。送信ダイバーシティは、多重送信アンテナで同じデータを送信して送信信頼度を高める技術である。空間多重化は、多重送信アンテナで互いに異なるデータを同時に送信することで、システムの帯域幅を増加させずに高速のデータを送信することができる技術である。ビーム形成は、多重アンテナでチャネル状態による加重値を加えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために使われる。この時、加重値は、加重値ベクトル（ｗｅｉｇｈｔ  ｖｅｃｔｏｒ）または加重値行列（ｗｅｉｇｈｔ  ｍａｔｒｉｘ）で表示されることができ、これをプリコーディングベクトル（ｐｒｅｃｏｄｉｎｇ  ｖｅｃｔｏｒ）またはプリコーディング行列（ｐｒｅｃｏｄｉｎｇ  ｍａｔｒｉｘ）という。
【００３０】
空間多重化は、単一ユーザに対する空間多重化と多重ユーザに対する空間多重化がある。単一ユーザに対する空間多重化は、ＳＵ−ＭＩＭＯ（Ｓｉｎｇｌｅ  Ｕｓｅｒ  ＭＩＭＯ）とも呼ばれ、多重ユーザに対する空間多重化は、ＳＤＭＡ（Ｓｐａｔｉａｌ  Ｄｉｖｉｓｉｏｎ  Ｍｕｌｔｉｐｌｅ  Ａｃｃｅｓｓ）或いはＭＵ−ＭＩＭＯ（Ｍｕｌｔｉ  Ｕｓｅｒ  ＭＩＭＯ）とも呼ばれる。
【００３１】
ＭＩＭＯ送信技法は、ＲＲＣ（ｒａｄｉｏ  ｒｅｓｏｕｒｃｅ  ｃｏｎｔｒｏｌ）のような上位階層（ｈｉｇｈｅｒ  ｌａｙｅｒ）シグナリングにより半静的に（ｓｅｍｉ−ｓｔａｔｉｃａｌｌｙ）設定されることができる。
【００３２】
図２は、分散アンテナシステムを例示する。
【００３３】
図２を参照すると、分散アンテナシステム（ｄｉｓｔｒｉｂｕｔｅｄ  ａｎｔｅｎｎａ  ｓｙｓｔｅｍ；ＤＡＳ）は、基地局（ＢＳ）と基地局アンテナ（例えば、ＡＮＴ１〜ＡＮＴ８；以下、基地局アンテナをアンテナと呼ぶ）で構成される。アンテナ（ＡＮＴ１〜ＡＮＴ８）は、基地局（ＢＳ）と有線または無線に連結されることができる。分散アンテナシステムは、従来の集中アンテナシステム（ｃｅｎｔｒａｌｉｚｅｄ  ａｎｔｅｎｎａｌ  ｓｙｓｔｅｍ；ＣＡＳ）と違って、アンテナがセル１５ａの特定地点、例えば、セルの中央に集中されておらずにセル内の多様な位置に分散されて配置される。図２では、アンテナが離隔された各場所に一つのアンテナが存在する例を示しているが、これに制限されるものではなく、離隔された各場所に複数個のアンテナが密集されて存在する形態に分布してもよい。
【００３４】
この時、アンテナのアンテナカバレッジ（ｃｏｖｅｒａｇｅ）がオーバーラップ（ｏｖｅｒｌａｐ）されてランク（ｒａｎｋ）２以上の送信が可能に分布することができる。例えば、各アンテナのアンテナカバレッジが隣接したアンテナまで及ぼすことができる。この場合、セル内に存在する端末は、セル内の位置、チャネル状態などによって複数のアンテナから受信する信号の強度が多様に変更されることができる。図２の例を参照すると、端末１（ＵＥ  １）は、アンテナ１、２、５、６から受信感度の良い信号を受信することができる。一方、アンテナ３、４、７、８から送信される信号は、経路損失（ｐａｔｈ  ｌｏｓｓ）により端末１に及ぼす影響が極めて少ない。
【００３５】
端末２（ＵＥ  ２）は、アンテナ６、７から受信感度の良い信号を受信することができ、残りのアンテナから送信される信号は、その影響が極めて少ない。同様に、端末３（ＵＥ  ３）の場合、アンテナ３からのみ受信感度の良い信号を受信することができ、残りのアンテナの信号は無視できるほど強度が弱い。
【００３６】
分散アンテナシステムでは、セル内で相互間に離隔された端末に対してＭＩＭＯ通信を実行することが容易である。前記例で、端末１にはアンテナ１、２、５、６を介して通信を実行し、端末２にはアンテナ７、端末３にはアンテナ３を介して通信を実行することができる。アンテナ４、８は、端末２または端末３のための信号を送信してもよく、何らの信号を送信しなくてもよい。即ち、アンテナ４、８は、場合によってオフ状態に運用することもできる。
【００３７】
前述したように、分散アンテナシステムでＳＵ−ＭＩＭＯ／ＭＵ−ＭＩＭＯ通信を実行する場合、各端末当たりレイヤ（ｌａｙｅｒ；即ち、送信ストリームの数）が多様に存在することができる。また、各端末に割り当てられるアンテナ（または、アンテナグループ）が互いに異なることもある。即ち、分散アンテナシステムでは、各端末に対して特定アンテナ（または、特定アンテナグループ）をサポートすることができる。端末にサポートするアンテナは、時間によって変更されることができる。
【００３８】
図３は、分散アンテナシステム構成の一例を示す。
【００３９】
分散アンテナシステムは、基地局１１と、基地局１１に連結された複数のアンテナノード（ａｎｔｅｎｎａ  ｎｏｄｅ）１００−１乃至１００−６と、を含むことができる。アンテナノード１００−１乃至１００−６は、各々、一つのアンテナのみを含むこともでき、複数のアンテナを含むこともできる。アンテナノード１００−１乃至１００−６は、基地局と有線または無線に連結されることができる。一つのアンテナノード内に含まれているアンテナは、地理的に数メートル（ｍｅｔｅｒ）内に位置し、端末立場では同じ地点に属していると判断することができる。各アンテナノードは、端末がアクセスすることができるアクセスポイントのような役割をする。
【００４０】
然しながら、従来の分散アンテナシステムは、アンテナとアンテナノードを同じものと扱ったり、明確に区分しない場合が多かった。分散アンテナシステムを運用するためにはアンテナとアンテナノードを明確に区分し、それによって基地局と端末との間に情報交換が行われなければならない必要がある。
【００４１】
本発明におけるアンテナノードは、同じチャネル測定用信号（例えば、ミッドアンブルやパイロット、参照信号）を送信するアンテナの集合または同じチャネル測定用信号を用いてチャネル推定した結果を適用することができるアンテナの集合を意味する。例えば、４個のアンテナの全部で同じ時間及び周波数リソースにマッピングされたミッドアンブルを送信する場合、前記４個のアンテナは一つのアンテナノードを構成する。または、前記４個のアンテナのうちいずれか一つのアンテナでのみミッドアンブルを送信し、このようなミッドアンブルを測定し、チャネル推定した結果を他の３個のアンテナに共通的に適用することができる場合にも、前記４個のアンテナは一つのアンテナノードを構成する。または、４個のアンテナが時間領域または周波数領域に分割されたリソースを用いて交互にミッドアンブルを送信し、このようなミッドアンブルを測定し、チャネル推定した結果を４個のアンテナに適用する場合にも一つのアンテナノードと判断することができる。
【００４２】
以下、分散アンテナシステムにおける基地局と端末との間に実行する情報交換過程を説明する。
【００４３】
１．ステップ１：セル進入
【００４４】
端末がネットワーク進入（ｎｅｔｗｏｒｋ  ｅｎｔｒｙ）、再進入（ｒｅ−ｅｎｔｒｙ）、スキャニング（ｓｃａｎｎｉｎｇ）、連係（ａｓｓｏｃｉａｔｉｏｎ）またはハンドオーバー（ｈａｎｄｏｖｅｒ；ＨＯ）等を介してセル内に進入する場合、端末は基地局にネットワーク進入要求（ｎｅｔｗｏｒｋ  ｅｎｔｒｙ  ｒｅｑｕｅｓｔ）信号を送信する。
【００４５】
集中アンテナシステムにおける基地局は、端末のネットワーク進入要求信号を受信する場合、前記端末にセルの全体アンテナ個数をブロードキャスト（ｂｒｏａｄｃａｓｔ）する。これに対し、本発明による分散アンテナシステムにおける基地局は、前記全体アンテナ個数と共にアンテナノード情報を追加にブロードキャストすることができる。
【００４６】
ここで、アンテナノード情報は、セル内の全体アンテナノードの個数及び／または各アンテナノードのアンテナ個数及び／またはインデックスマッピング情報を含むことができる。インデックスマッピング情報は、各アンテナノードにどのようなアンテナが含まれるかを示す情報である。例えば、セル内にＮ個のアンテナノードが存在し、Ｍ個のアンテナが存在する場合を仮定する。この時、任意のアンテナノードｎがＭｎ個のアンテナを含むことができる。これによって、アンテナインデックスｍ，ｍ＋１，．．．，ｍ＋Ｍｎ−１に該当するアンテナがアンテナノードｎにマッピングされることができる。インデックスマッピング情報は、アンテナノードとアンテナとの間のマッピング関数関係によって多様な形態に情報が与えられることができる。例えば、インデックスマッピング情報は、前記ｎ値と前記ｍ値が与えられることができる。端末は、アンテナノード情報でアンテナノードｎのアンテナ個数（Ｍｎ）を知ることができるため、該当アンテナノードｎにアンテナインデックスがｍであるアンテナからｍ＋Ｍｎ−１であるアンテナまでマッピングされることを知ることができる。
【００４７】
または、基地局は、アンテナノード情報の情報量オーバーヘッド（ｏｖｅｒｈｅａｄ）を減らすために、全体アンテナノードの個数のみブロードキャストすることもできる。この場合には後述するステップ３で各端末に該当アンテナノードのアンテナ個数及びインデックスマッピング情報をユニキャストすることができる。
【００４８】
２．ステップ２：基地局のアップリンク信号送信要求及び端末のアップリンク信号送信
【００４９】
基地局は、端末にアップリンク信号送信を要求することができる。例えば、アップリンクサウンディング信号（ｓｏｕｎｄｉｎｇ  ｓｉｇｎａｌ）の送信を要求したり、フィードバック情報の送信を要求することができる。基地局がフィードバック情報送信を要求する場合、基地局は、端末がフィードバックする情報の種類、端末のフィードバック情報に含まなければならないアンテナノードの個数に対する情報をフィードバック情報送信要求信号に含むことができる。アップリンク信号送信要求は、端末にアンテナノード割当を実行する時に必要な情報を要求することである。アップリンク信号送信要求は、端末にブロードキャストされることもある。または、基地局が端末別に異なるフィードバック情報を要求する場合には特定端末または特定端末グループにユニキャストされることもある。また、アップリンク信号送信要求は、前述したステップ１で実行されることもできる。即ち、基地局がアンテナノード情報をブロードキャストする時、アップリンク信号送信要求を共にブロードキャストすることもできる。
【００５０】
または、アップリンク信号送信要求は省略されることができる。例えば、端末がネットワーク進入後にアンテナノード割当に必要なフィードバック情報を特定周期に基地局に送信するように予め定義されていることがある。このような場合にはアップリンク信号送信要求は不要である。
【００５１】
前述したアップリンク信号送信要求と既存の制御情報が共に送信されることができる。例えば、基地局は、アップリンクサウンディング信号送信要求とアップリンクサウンディング信号送信時に使用する送信電力制御情報を共に送信することができる。
【００５２】
端末は、基地局のアップリンク信号要求に対する応答として、該当するアップリンク信号を送信する。例えば、端末は、アップリンクサウンディング信号を送信したり、フィードバック情報を送信する。
【００５３】
端末がアップリンク信号要求に対する応答として、フィードバック情報を基地局に送信する場合、端末は、各アンテナまたはアンテナノードが送信するミッドアンブルを用いて信号強度を測定した後、下記の情報のうち少なくとも一つを含んで送信することができる。
【００５４】
１．ダウンリンクの全てのアンテナノード別受信強度
【００５５】
２．ダウンリンクの全てのアンテナノードのうち、端末が選択したアンテナノードの受信強度
【００５６】
３．端末が要求するダウンリンクのアンテナノードの個数
【００５７】
４．選択基準を満たすアンテナノードの個数
【００５８】
５．ダウンリンクの全てのアンテナノードのうち、端末が要求するアンテナノードのインデックス（例えば、ビットマップの形態である）。
【００５９】
６．ダウンリンクの全てのアンテナノードのうち、選択基準を満たすアンテナノードのインデックス（例えば、ビットマップの形態である）。
【００６０】
前記選択基準は、例えば、アンテナノードで送信したダウンリンク信号の受信強度が閾値（ｔｈｒｅｓｈｏｌｄ  ｖａｌｕｅ）を超えるか否かにより判断するものである。
【００６１】
基地局が端末にフィードバックするアンテナノードの個数を指定する場合、端末は、前記アンテナノードの個数に合わせて最大受信強度を有するアンテナノードのインデックスから最小受信強度を有するアンテナノードのインデックスをフィードバックすることができる。この時、各アンテナノードの受信強度もフィードバックすることができる。
【００６２】
基地局は、端末が送信するアップリンク信号を介してアップリンクサウンディング（ｓｏｕｎｄｉｎｇ）信号、端末からのフィードバック情報、アップリンク信号の強度のうち一つ以上の情報を獲得する。アップリンクサウンディング信号は、ＴＤＤ（ｔｉｍｅ  ｄｉｖｉｓｉｏｎ  ｄｕｐｌｅｘ）モードで端末に対するアンテナノード割当に用いられることができる。フィードバック情報は、ＦＤＤ（ｆｒｅｑｕｅｎｃｙ  ｄｉｖｉｓｉｏｎ  ｄｕｐｌｅｘ）モードで端末に対するアンテナノード割当に用いられることができる。もちろん、アップリンクサウンディング信号やフィードバック情報がＴＤＤ或いはＦＤＤでのみ用いられるものではなく、ＴＤＤ／ＦＤＤと関係なしに利用可能である。
【００６３】
図４は、ステップ２に対する基地局と端末との間のシグナリング過程を示す。
【００６４】
即ち、図４は、前述したステップ２で基地局がフィードバック情報送信を要求する場合、基地局と端末との間のシグナリング過程を示している。基地局は、端末にフィードバック情報送信を要求する（Ｓ４００）。前述したように、フィードバック情報送信は、端末がフィードバックする情報の種類、フィードバック情報に含まなければならないアンテナノードの個数などに対する情報を含むことができる。この時、基地局は、アンテナノード当たり一つのチャネル測定用信号（例えば、ミッドアンブルまたはパイロット信号）を送信することができる。例えば、アンテナノード当たり一つのミッドアンブルパターンを使用する。ここで、ミッドアンブルパターンとは、時間−周波数リソース内でミッドアンブルが割り当てられるリソース要素の位置が決定される方式である。ミッドアンブルパターンは、所定の時間領域及び／または周波数領域に決定される基本単位内で決定されることができ、基本単位でのミッドアンブルパターンが周波数領域に繰り返される。
【００６５】
従来、集中アンテナシステムでは、各アンテナ別に異なるミッドアンブルパターンを使用する。従って、アンテナの個数が増加すると、ミッドアンブルパターンの数も増加するようになる。もし、分散アンテナシステムで集中アンテナシステムのように個別アンテナ別に異なるミッドアンブルパターンを使用する場合、アンテナの個数の増加によってミッドアンブルのオーバーヘッドが過度に増加するようになる。これに対し、本発明のようにアンテナノードを単位にミッドアンブルパターンを使用する場合、要求されるミッドアンブルパターンの数が減るようになるため、オーバーヘッドを減らすことができ、一つのミッドアンブルパターンにより多いリソース要素を使用することができるため、ミッドアンブルの解像度（ｒｅｓｏｌｕｔｉｏｎ）を高めることができる。また、分散アンテナシステムでは、集中アンテナシステムと違って、アンテナがセル内に離隔されて配置されるため、セル内の端末の位置、チャネル状態によって各アンテナと端末との間のチャネル状態が相当異なる。従って、本発明のようにアンテナノード単位（例えば、地理的に隣接したアンテナで構成されたアンテナノード単位）にチャネル測定用信号を送信することが効率的である。
【００６６】
端末は、アンテナノード別ミッドアンブルを測定し、フィードバック情報を生成する（Ｓ４１０）。ここで、フィードバック情報は、アンテナ別に生成されず、アンテナノードに対して生成される。
【００６７】
端末は、アンテナノードに対するフィードバック情報を基地局に送信する（Ｓ４３０）。これによって、基地局は、フィードバック情報を参照して端末にアンテナノードを割り当てる。基地局が、アンテナでなくアンテナノードを割り当てる理由は、アンテナノード内のアンテナが地理的に隣接してチャネル状態が全部類似すると判断することができるため、シグナリングオーバーヘッドを増やしながらアンテナを割り当てることよりアンテナノード単位に割り当てることが効率的であるためである。
【００６８】
３．ステップ３：基地局の端末別アンテナノード割当情報（アンテナ割当情報）送信
【００６９】
基地局は、端末から受信したアップリンク信号、例えば、フィードバック情報を用いてアンテナノード割当情報（アンテナ割当情報）を生成した後、各端末にユニキャスト（ｕｎｉｃａｓｔ）することができる。アンテナノード割当情報は、ダウンリンク及び／またはアップリンクでどんなアンテナノードを使用するかに対する情報、前記使用するアンテナノードは、何個のアンテナで構成されているかに対する情報、各アンテナに使われるミッドアンブルパターンに対する情報などを含むことができる。
【００７０】
具体的に、基地局が各端末に送信するアンテナノード割当情報は、下記のような情報のうち一部または全部を含むことができる。
【００７１】
１．アンテナノードの個数
【００７２】
２．アンテナノードインデックス
【００７３】
３．アンテナノード単位に割り当てられたチャネル測定用信号（例えば、ミッドアンブルやパイロット）のパターンインデックス
【００７４】
４．各アンテナノードのアンテナ個数
【００７５】
５．アンテナインデックス
【００７６】
６．アンテナ単位に割り当てられたチャネル測定用信号（例えば、ミッドアンブルやパイロット）のパターンインデックス
【００７７】
７．アンテナ単位に割り当てられたチャネル測定用信号のパターン情報（例えば、時間及び／または周波数リソースの情報、シーケンス情報等）
【００７８】
８．アンテナノードインデックスとアンテナインデックスとの間のマッピング情報
【００７９】
９．アンテナノード単位に割り当てられたチャネル測定用信号のパターンインデックスとアンテナ単位に割り当てられたチャネル測定用信号のパターンインデックスとの間のマッピング情報
【００８０】
前述したアンテナノード割当情報でアンテナノードインデックスまたはアンテナインデックスは、端末に信号を送信したり受信するアンテナノード、アンテナに対するインデックスを含むだけでなく、前記端末を宛先局にする信号を送信するものではないが、干渉として作用することができるアンテナノードまたはアンテナに対するインデックス情報を含むこともできる。これに対しては後述する‘本発明の他の実施例による分散アンテナシステムで端末が基地局に送信するフィードバック情報’で詳細に記述する。または、他の端末（例えば、対（ｐａｉｒｉｎｇ）でグループ化されて多重化される他の端末）に割り当てられたアンテナノードまたはアンテナに対するインデックス情報を含むこともできる。
【００８１】
アンテナノードインデックスまたはアンテナインデックスは、ビットマップの形態に送信されることもでき、端末が送信したフィードバック情報に含まれているアンテナノードインデックスでどんなアンテナノードインデックスを除外するかを知らせる形態に送信されることもできる。
【００８２】
アンテナノード割当情報に含まれているマッピング情報は、セル内の全てのアンテナノードに対する情報であってもよいが、端末に割り当てられたアンテナノードに限定した情報で構成することが効率的である。例えば、前記‘８．アンテナノードインデックスとアンテナインデックスとの間のマッピング情報’は、セル内の全てのアンテナノードとアンテナに対するマッピング情報を送信してもよいが、該当端末に割り当てられた特定アンテナノードに限定してアンテナノードとアンテナとの間のマッピング情報を送信することが効率的である。
【００８３】
前述したように、アンテナノード割当情報は、前記１乃至９の情報のうち一部または全部を含むことができ、これはステップ１で基地局がブロードキャストしたアンテナノード情報がどんな情報を含んでいるかによって決定されることができる。
【００８４】
例えば、ステップ１でブロードキャストしたアンテナノード情報に各アンテナノードのアンテナ個数及びインデックスマッピング情報が含まれる場合には、ステップ３で、１．アンテナノードの個数、２．アンテナノードインデックスのみを送信しても、端末はどんなアンテナが送信に使われるかを知ることができる。
【００８５】
または、ステップ１で、基地局がアンテナノード情報をブロードキャストしない場合には、アンテナノード割当情報は、割り当てられたアンテナノード、前記割り当てられたアンテナノードに含まれているアンテナの情報を全部含んで送信しなければならない。即ち、前記１乃至９の情報全部を含んで送信することができる。
【００８６】
または、基地局は、直接的にアンテナ情報を送信することもでき、このような場合には端末に割り当てられたアンテナ個数、アンテナインデックス、アンテナ単位に割り当てられたチャネル測定用信号（例えば、ミッドアンブルやパイロット）のパターンインデックス、及びアンテナ単位に割り当てられたチャネル測定用信号のパターン情報（例えば、時間及び／または周波数リソースの情報、シーケンス情報等）のみを送信することもできる。このような場合、端末は、どのアンテナノードと通信するかに対しては知ることができず、どのアンテナと通信するかに対してのみ知ることができる。従って、端末は、能動的にアンテナノードの変更を要求することができないという短所があるが、シグナリングオーバーヘッドが減る長所がある。
【００８７】
前述したアンテナノード割当情報によるアンテナノード割当は、一つのアンテナノードを一つの端末に割り当てるという意味に制限されるものではない。即ち、ＦＤＭＡ（ｆｒｅｑｕｅｎｃｙ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｅｍ  ｄｉｖｉｓｉｏｎ  ｍｕｌｔｉｐｌｅ  ａｃｃｅｓｓ）、ＳＤＭＡ（ｓｐａｔｉａｌ  ｄｉｖｉｓｉｏｎ  ｍｕｌｔｉｐｌｅ  ａｃｃｅｓｓ）などの多様な方法を介して同じアンテナノードで複数の端末をサポートすることもできる。
【００８８】
基地局は、アンテナノード割当情報を介して端末に特定アンテナノードを割り当て、前記特定アンテナノードの個別アンテナで使われるチャネル測定用信号（例えば、ミッドアンブル、パイロット）に対する情報を提供することができる。
【００８９】
図５乃至図８は、特定アンテナノードで個別アンテナに使われることができるミッドアンブルの例を示す。
【００９０】
図５は、特定アンテナノードに４個のアンテナが含まれる場合、使われることができるミッドアンブルパターンの例を示す。これはＩＥＥＥ８０２．１６ｍで定義されるミッドアンブルパターンと同様である。図５を参照すると、一つのアンテナに対するミッドアンブルパターンは、一つのフレーム内の特定ＯＦＤＭＡシンボルで同じ間隔ほど離隔された副搬送波位置にマッピングされる。このようなミッドアンブルパターンが周波数領域で重ならないように配置される形態に４個のミッドアンブルパターンが同じＯＦＤＭＡシンボルで送信される。即ち、基地局は、同じＯＦＤＭＡシンボルで互いに異なる周波数リソースを用いる４個のミッドアンブルパターンを送信する。
【００９１】
図６は、ノーマルＣＰの場合、一つのアンテナに対するミッドアンブル（共用参照信号）パターンの例を示す。図７はノーマルＣＰの場合、２個のアンテナに対するミッドアンブル（共用参照信号）パターンの例を示す。図８は、ノーマルＣＰの場合、４個のアンテナに対するミッドアンブル（共用参照信号）パターンの例を示す。
【００９２】
図６乃至８を参照すると、Ｒｐは、アンテナ＃ｐを介するミッドアンブル送信に使われるリソース要素を示す（ｐ＝０，１，２，３）。ミッドアンブル送信に使われるリソース要素をミッドアンブルリソース要素という。Ｒｐは、アンテナ＃ｐに対するミッドアンブルリソース要素である。Ｒｐは、アンテナ＃ｐを除外した他の全てのアンテナを介してはどんな送信にも使われない。即ち、サブフレーム内のあるアンテナを介してミッドアンブル送信のために使われるリソース要素は、同じサブフレーム内の他のアンテナを介してはどのような送信にも使われず、０に設定されることができる。これはアンテナ間干渉を与えないためである。
【００９３】
図５乃至図８のように、各アンテナに対するチャネル測定用信号のパターンは、個別的にインデックスを有することができ、アンテナノード割当情報に含まれている‘６．アンテナ単位に割り当てられたチャネル測定用信号（例えば、ミッドアンブルやパイロット）のパターンインデックス’、‘７．アンテナ単位に割り当てられたチャネル測定用信号のパターン情報（例えば、時間及び／または周波数リソースの情報、シーケンス情報等）’、‘９．アンテナノード単位に割り当てられたチャネル測定用信号のパターンインデックスとアンテナ単位に割り当てられたチャネル測定用信号のパターンインデックス間のマッピング情報’などにより端末に指示されることができる。
【００９４】
基地局は、端末別にアンテナノードを割り当てた後、該当アンテナノード内の各アンテナ別に互いに異なるミッドアンブルパターンを送信して各アンテナに対するチャネル推定に使用するようにすることができる。
【００９５】
４．ステップ４：データ送受信ステップ
【００９６】
基地局によるアンテナノード割当が完了すると、端末は、割り当てられたアンテナノードから送信されたデータを受信することができる。基地局は、端末が送信したアップリンクデータを割り当てられたアンテナノードで受信することができる。
【００９７】
前述したステップ１乃至ステップ４は、端末立場で、場合によって、全部実行されることもあり、一部のみ繰り返して実行されることもある。例えば、端末が最初にセルに進入する場合には、ステップ１乃至ステップ４を順次に全部実行することができる。これに対し、端末がセルに進入した後には、ステップ４以後またはステップ４を実行する過程にステップ２を実行することもできる。基地局−端末間のデータ送受信過程で必要なＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）などの一般的なフィードバック情報送信は、ステップ２のアンテナノード割当のためのアップリンク送信と共に実行されることができる。また、基地局は、端末に対するダウンリンク制御情報送信時にステップ２のアップリンク信号送信要求を共に実行することができる。
【００９８】
また、前述したステップ２以後にステップ３が必ず実行される必要はない。即ち、ステップ２で、端末がアンテナノード割当のためのアップリンク信号送信をしても、基地局がステップ３のアンテナノード割当を必ず実行する必要はない。基地局は、端末の速度、位置変化などを考慮してアンテナノード割当を間欠的に実行することができる。基地局がアンテナノード割当情報を変更して送信すると、端末は、変更されたアンテナノード割当情報によるアンテナノードとデータを送受信する。もし、ステップ２がステップ４と共に進行される場合、端末で実行されるステップは、以下の通りである。
【００９９】
ステップ１→ステップ２−＞ステップ３→ステップ４（ステップ２）→ステップ３→ステップ４（ステップ２）→ステップ３→ステップ４（ステップ２）．．．。前記括弧は、同時に実行されることを意味する。
【０１００】
図９は、前述したステップ１乃至ステップ４による基地局と端末との間のシグナリング過程の一例を示す。
【０１０１】
端末は、セル内に進入する場合、基地局にネットワーク進入要求（ｎｅｔｗｏｒｋ  ｅｎｔｒｙ  ｒｅｑｕｅｓｔ）信号を送信する（Ｓ９００）。基地局は、ネットワーク進入要求を受信すると、ネットワーク進入を許容（ｎｅｔｗｏｒｋ  ｅｎｔｒｙ  ｐｅｒｍｉｓｓｉｏｎ）する（Ｓ９１０）。ネットワーク進入を許容する場合、基地局は、セルＩＤ（ｉｄｅｎｔｉｆｉｃａｔｉｏｎ）、分散アンテナシステムであることを知らせるＤＡＳ指示子、アンテナノード情報を端末に知らせることができる。このような過程は、前述したステップ１で詳細に説明した。
【０１０２】
また、前記過程（Ｓ９１０）と同時に、基地局は、端末にアンテナノード割当に使用するためのフィードバック情報送信を要求する（Ｓ９２０）。端末は、アンテナノード情報に基づいてダウンリンク送信時に選好されるアンテナノードのインデックス及び選択したアンテナノードからの信号測定結果を送信する（Ｓ９３０）。信号測定結果は、例えば、選択したアンテナノードの信号に対するＳＩＮＲ（ｓｉｇｎａｌ  ｔｏ  ｎｏｉｓｅ  ｐｌｕｓ  ｉｎｔｅｒｆｅｒｅｎｃｅ  ｒａｔｉｏ）である。前記過程（Ｓ９２０、Ｓ９３０）は、前述したステップ２で詳細に説明した。
【０１０３】
基地局は、端末が送信するフィードバック情報に基づいてアンテナノード割当情報を生成して前記端末に送信する（Ｓ９４０）。アンテナノード割当情報は、前述したように、端末に割り当てられたアンテナノードに対する多様な情報を含むことができる。このような過程は、前記ステップ３で詳細に説明した。
【０１０４】
アンテナノード割当が完了すると、基地局と端末との間にはデータ送受信が実行される（Ｓ９５０）。データ送受信過程で、端末は、フィードバック情報、即ち、選好するアンテナノードに対する情報を周期的に送信することができる（即ち、ステップ２がステップ４と共に実行）。基地局は、予め決まった特定周期または特定条件を満たす場合（ｅｖｅｎｔ  ｄｒｉｖｅｎ）、前記端末に対するアンテナノード割当を変更することができ、変更されたアンテナノード割当情報を端末に送信する（Ｓ９６０）。以後、再び基地局と端末との間には変更されたアンテナノード割当情報によるアンテナノードを用いてデータ送受信を実行する。
【０１０５】
本発明の他の実施例によると、基地局は、スーパーフレームヘッダ（ｓｕｐｅｒ  ｆｒａｍｅ  ｈｅａｄｅｒ；ＳＦＨ）、ＡＢＩ（ａｄｄｉｔｉｏｎａｌ  ｂｒｏａｄｃａｓｔ  ｉｎｆｏｒｍａｔｉｏｎ）、ＤＣＤ（ｄｏｗｎｌｉｎｋ  ｃｈａｎｎｅｌ  ｄｅｓｃｒｉｐｔｏｒ）やＢＣＨ（ｂｒｏａｄｃａｓｔ  ｃｈａｎｎｅｌ）等を介してアンテナノードの個数をブロードキャストすることができる。端末は、アンテナノード単位に設定されたチャネル測定用信号（例えば、ミッドアンブル）を用いてダウンリンクの信号強度を測定した後、選好するアンテナノード（ｐｒｅｆｅｒｒｅｄ  ａｎｔｅｎｎａ  ｎｏｄｅ）に対する情報をフィードバックすることができる。基地局は、端末が送信するフィードバック情報を用いて前記端末に割り当てられたアンテナノードに含まれているアンテナ個数及び／またはそのアンテナに適用されるチャネル測定用信号（例えば、ミッドアンブル）の割当情報を知らせることができる。
【０１０６】
アンテナ単位に適用されることができるミッドアンブルの全体パターンの数は、実際に端末に割り当てられたアンテナ個数より多い。このような場合、基地局は、アンテナ単位に適用されることができるミッドアンブルの全体パターン数と端末に割り当てられたアンテナに対するアンテナ単位ミッドアンブルのパターン個数及び／またはアンテナ単位ミッドアンブルパターンのインデックスを知らせることができる。
【０１０７】
端末は、割り当てられたアンテナ個数に該当するミッドアンブル（アンテナノードでないアンテナ単位のミッドアンブル）を用いて割り当てられたアンテナのチャネルを測定する。
【０１０８】
以下、本発明の他の実施例による分散アンテナシステムで端末が基地局に送信するフィードバック情報に対して説明する。
【０１０９】
従来、分散アンテナシステムでは、基地局が端末にミッドアンブルのようなチャネル測定用信号を送信し、端末は、チャネル測定用信号を測定して受信強度のような基準によってチャネル状態の良いアンテナまたはアンテナノードを選択して基地局にフィードバックした。即ち、端末は、選好するアンテナまたはアンテナノードに対する情報を送信した。
【０１１０】
然しながら、分散アンテナシステムは、高いデータ送信率を実現するためにセル内に高い密度にアンテナが設置されることができる。このような場合、セル内の端末は、大部分のアンテナまたはアンテナノードから受信強度の高い信号を受信することができる。即ち、端末がチャネル測定した結果、選好するアンテナまたはアンテナノードは、システム内の大部分のアンテナになることができる。これによって、端末が基地局にフィードバックする情報の量が増加するようになる。
【０１１１】
従って、本発明では、１）端末が基地局に選好するアンテナまたはアンテナノードに対する情報でなく、選好しないアンテナまたはアンテナノードに対する情報をフィードバックすることを提案する。例えば、端末がミッドアンブルを測定してＳＩＮＲのような受信強度が特定閾値（ｔｈｒｅｓｈｏｌｄ  ｖａｌｕｅ）より低いアンテナまたはアンテナノードに対する情報を基地局にフィードバックすることである。このような方法によると、端末のフィードバック情報量を減少させることができる。
【０１１２】
または、２）端末は、選好するアンテナまたはアンテナノードに対する情報と共に、選好しないアンテナまたはアンテナノードに対する情報をフィードバックすることもできる。例えば、分散アンテナシステムが各端末当たり一つのアンテナノードのみをサポートする場合を仮定する。このような場合、従来の方法は、端末がミッドアンブルを測定して選好する一つのアンテナノード（例えば、受信強度が最も高いアンテナノード）に対する情報をフィードバックすることである。
【０１１３】
然しながら、端末は、前述した選好するアンテナノード以外に、他のアンテナノードから相対的に高い受信強度を有する信号または相対的に低い受信強度を有する信号を受信することができる。例えば、端末Ａは、アンテナノード１が選好するアンテナノードであり、アンテナノード２から相対的に受信強度が高い信号を受信し、アンテナノード３から相対的に受信強度が低い信号を受信することができる。このような場合、基地局がアンテナノード２で他の端末に対する信号を送信する場合、このような信号は端末Ａに強い干渉として作用することができる。これに対し、基地局がアンテナノード３で他の端末に対する信号を送信する場合、端末Ａに干渉が強く作用しない。従って、端末Ａは、基地局に選好するアンテナノード１に対する情報と共に、選好しないアンテナノードに対する情報として、アンテナノード３に対する情報をフィードバックすることができる。基地局は、端末Ａに対してチャネル状態が最も良いアンテナノードはアンテナノード１であり、アンテナノード３は干渉として作用しないアンテナノードであることをフィードバック情報を介して知ることができる。基地局は、各端末が送信するフィードバック情報を介して、特定端末にどんなアンテナノードを介して信号を送信することが最も干渉を減らすことができるかを予測することができる。
【０１１４】
分散アンテナシステムは、セルのアンテナ設置方法によって前述した１）または２）の方法を選択的に適用することができる。即ち、セル内にアンテナが高い密度に設置され、端末が大部分のアンテナとチャネル状態が良いセルでは１）の方法を使用することができ、他のセルでは２）の方法を使用することができる。端末がセル間を移動する場合、特定セルで前述した２つの方法のうちいずれの方法を使用するかが問題になることができる。
【０１１５】
このような問題を解決するために、１．基地局がシステム情報に端末のフィードバック方法を知らせるパラメータを含んでブロードキャストすることができる。システム情報は、例えば、ＢＣＨ（ｂｒｏａｄｃａｓｔ  ｃｈａｎｎｅｌ）、Ａ−ＭＡＰ等を介して伝達されることができる。２．各基地局別に適用される端末のフィードバック方法を予め定義し、端末が基地局のＩＤを認識してフィードバック方法を知ることができるようにする方法がある。即ち、前述した１）及び２）のフィードバック方法が適用される基地局のＩＤを分類し、端末が基地局のＩＤを認識すると、自動的にどのようなフィードバック方法が適用されるかを認識するようにする方法である。３．基地局が各端末にユニキャストする制御情報にフィードバック方法を指示するフィードバックモード情報を含んで送信する方法である。例えば、フィードバックする割当Ａ−ＭＡＰ  ＩＥ（Ａｄｖａｎｃｅｄ−ＭＡＰ  Ｉｎｆｏｒｍａｔｉｏｎ  Ｅｌｅｍｅｎｔ）でＭＦＭ（ＭＩＭＯ  ｆｅｅｄｂａｃｋ  ｍｏｄｅ）のように端末のフィードバックモードを示す情報を含んで送信することである。端末のフィードバックモードは、以下の表のように区分することができる。
【０１１６】
【表１】
0005536274.tif 000002
【０１１７】
端末は、前述した３つの方法のうちいずれか一つの方法を介してどのような情報をフィードバック情報に含んで送信すべきかを知ることができる。
【０１１８】
図１０は、基地局及び端末を示すブロック図である。
【０１１９】
基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／または方法を具現する。即ち、端末にアンテナノード情報をブロードキャストし、端末が送信するフィードバック情報に基づいてアンテナノード割当情報を生成した後、端末に送信する。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。
【０１２０】
端末２００は、プロセッサ２１０、メモリ２２０、及びＲＦ部２３０を含む。プロセッサ２１０は、基地局からアンテナノード情報を受信し、フィードバック情報送信要求を受信する。また、プロセッサ２１０は、アンテナノード単位のチャネル測定用信号を受信してＳＩＮＲを計算し、選好するアンテナノードを決定し、基地局に送信することができる。また、プロセッサ２１０は、基地局からアンテナノード割当情報を受信し、該当アンテナノードを介して基地局とデータの送受信を実行することができる。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【０１２１】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段でプロセッサ１１０、２１０と連結されることができる。
【０１２２】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【０１２３】
以上、本発明の好ましい実施例に対して詳細に記述したが、本発明が属する技術分野において通常の知識を有する者であれば、添付の請求範囲に定義された本発明の精神及び範囲を外れない限り、本発明を多様に変形または変更して実施可能であることを知ることができる。従って、本発明の今後の実施例の変更は。本発明の技術を外れることができない。
【図１】
0005536274.tif 000003
【図２】
0005536274.tif 000004
【図３】
0005536274.tif 000005
【図４】
0005536274.tif 000006
【図５】
0005536274.tif 000007
【図６】
0005536274.tif 000008
【図７】
0005536274.tif 000009
【図８】
0005536274.tif 000010
【図９】
0005536274.tif 000011
【図１０】
0005536274.tif 000012